Podtech/llm-jp-corpus-v4-ja_patent huggingface dataset:
(57)【要約】      （修正有）【課題】従来ローラーコンベヤ使用による搬送物の搬送は、無動力においてはローラーの損耗及びローラー勾配で載置作業の際、一定の間隔を保持する必要が有り、載置不備により搬送物同士の接触が発生し、搬送物を損傷させる問題があった。【解決手段】無動力のローラーコンベヤ作業で、搬送物の形状及び作業能力に応じて、ローラーコンベヤ一連あたり数箇所取り付ける事により、一定の間隔と時間で搬送物を高所より低所へ、搬送物同士が接触することなく作業工程を繰り返し行うことができる。取り付けには容易に装着できるねじ式クランプを使用し、又、ローラーコンベヤの傾斜角に応じてバランス調整を行う場合の調整はベアリング調整ボルト及び孔１０で微調整をする。又、搬送物の形状及び重量に応じて、踏み板６・受け板７のほぞ穴により高さ調整し、各踏み板６及び受け板７にアクリル製の衝撃吸収パッド１１を取り付ける。【選択図】図１
2011236049.tif 000002
【特許請求の範囲】
【請求項１】
無動力のローラーコンベヤに、搬送物の形状に応じて本装置を数箇所設置することで、一定の間隔で互いに接触する事無く搬送物を高所より低所へ、流すことができる装置。
【請求項２】
搬送物の形状に応じて、ねじ式クランプにより容易に脱着及び取り付け位置の移動ができる装置。
【請求項３】
ローラーコンベヤのローラー径及び傾斜角に応じて、高所側の受け板並びに低所側の踏み板が、ほぞ穴により容易に高さ調整できる装置。
【請求項４】
ローラーコンベヤの傾斜角に応じて、本装置のベアリング取り付け部で支点の位置を変更することができる装置。
【請求項５】
高所側の受け板並びに低所側の踏み板の上部に、取替えが容易なアクリル製の衝撃吸収パッドを取り付ける事により、搬送物をスムーズに流すことができる装置。
【発明の詳細な説明】
【技術分野】
【００１】本発明は、無動力のローラーコンベヤによる高所から低所へ搬送物を移動する際における接触防止装置である。
【背景技術】
【００２】従来高所より低所に搬送物を移動する際に、ローラーコンベヤの高さ調整及び手作業による荷乗せの間隔管理が必要であった為、人的ミスによる搬送物同士の接触で不良品が発生していた。
【発明が解決しようとする課題】
【００３】本発明は、動力を用いない簡易的なメカニズムにより、その欠点を取除き搬送物同士の接触を防止するものである。
【課題を解決するための手段】
【００４】本発明を、ローラーコンベヤに一定間隔で装着する事により、高所より移動する搬送物を一定間隔で流す事が出来ると共に、搬送物同士の接触防止に努めることが出来る。
【発明を実施するための形態】
【００５】以下本発明の実施例について説明する。
（イ）本発明装置の装着に当たり、既設ローラーコンベヤのローラーを１装置に付き本装置の（１）を考慮の上、高所側（２）及び低所側（３）を各１個づつ取り除く。
（ロ）ねじ式クランプ（４）により、ローラーコンベヤ本体（５）に装着する。
尚、装着個数に付いては、ローラーコンベヤ本体長と搬送物の大きさに応じて決定する。
（ハ）次に、ローラーコンベヤ上に搬送物を流す。
（ニ）搬送物の密着具合を低所側踏み板（６）及び高所側受け板（７）で確認し、調整ボルト（８）（９）で上下の高さ調整を行う。
（ホ）バランス調整に付いては、ベアリング調整ボルト（１０）にて前後調整で行う。
以上の調整後、本発明を使用する際は最初の１個の搬送物が最下流に到達し、低所側の踏み板上に載っているのを確認後、次の搬送物を随時低所側へ流す。
一通りローラーコンベヤに搬送物が載ると、最低所部の搬送物を除去する事により自動的に高所部から低所部へ搬送物が接触する事無く移動する。
尚、本発明をローラーコンベヤに装着する際は最高所部に付いては、搬送物の１個分の寸法は未装着とする。
【発明の効果】
【００６】本発明装置は、装着個数により一定の間隔と時間で搬送物を高所より低所へ、搬送物同士が接触する事無く、作業工程を繰り返し行うことができる効果がある。
【図面の簡単な説明】
【図１】本発明装置側面図
【図２】取り付け高所部よりの正面図
【図３】本発明装置平面図
【図４】本発明装置の装着図
【符号の説明】（１）    装着装置長さ
（２）    既設ローラー高所側
（３）    既設ローラー低所側
（４）    ねじ式クランプ
（５）    ローラーコンベヤ本体
（６）    踏み板
（７）    受け板
（８）    低所側調整ボルト及び孔
（９）    高所側調整ボルト及び孔
（１０）  ベアリング調整ボルト及び孔
【図１】
2011236049.tif 000003
【図２】
2011236049.tif 000004
【図３】
2011236049.tif 000005
【図４】
2011236049.tif 000006
(57)【要約】【課題】観賞魚用水槽等で使用される藻抑制剤の防藻効果の消失を、剤自体の色調の変化で容易に判別でき、藻抑制成分であるヨウ素を一定期間に渡って連続的に徐放できる徐放性藻抑制剤を提供する。【解決手段】ヨウ素とゲル状物質からなる徐放性藻抑制剤を特徴とする。【特許請求の範囲】
【請求項１】
ヨウ素とゲル状物質からなる徐放性藻抑制剤。
【請求項２】
請求項１記載の徐放性藻抑制剤によるヨウ素の徐放方法。
【請求項３】
請求項１記載の徐放性藻抑制剤のヨウ素含有濃度を設定することによりヨウ素徐放期間を調整する方法。
【請求項４】
請求項１記載の徐放性藻抑制剤を充填する容器の形状および材質を設定することによりヨウ素徐放期間を調整する方法。
【請求項５】
請求項２記載の方法からなる藻抑制方法。
【発明の詳細な説明】
【技術分野】
【０００１】本発明は、水中、具体的には観賞魚用水槽等の水中において、藻類、アオコ等の発生を抑制し、藻抑制剤内部の藻抑制成分の消失によって剤自体の色調が変化する徐放性藻抑制剤に関するものである。
【背景技術】
【０００２】観賞魚用水槽等に発生する藻類、アオコ等は水槽の外観を損ねる。したがって、これらの発生を抑制するために、ベンゾチアゾール系、フェニル尿素系等の有機系藻抑制剤あるいは、銀、銅、亜鉛（特許文献１〜５）、ヨウ素等の無機系藻抑制剤を使用することが一般的である。【０００３】これらの有機系藻抑制剤や無機系藻抑制剤は、担体に担持させることなく粉末状や液状等で水槽中に直接投入し短期間藻抑制剤としての防藻効果を得る方法や、何らかの担体に担持させた状態で水槽中に投入し長期間藻抑制剤として防藻効果を得る方法により使用されている。
【先行技術文献】
【０００４】
【特許文献１】特開平１０−２９８０１２号公報
【特許文献２】特開平６−１５７２２５号公報
【特許文献３】特開平１１−０９９３９２号公報
【特許文献４】特開平２０００−２８８５５１号公報
【特許文献５】特開平９−０３０９１５号公報
【発明の概要】
【発明が解決しようとする課題】
【０００５】しかしながら、従来の藻抑制剤は藻抑制成分の消失とともに色調が変化するといった外観の変化がなく、藻抑制剤としての防藻効果が消失する時期が目視で容易に判別できないという問題があった。【０００６】また、防藻目的でヨウ素が液状で使用されることがあるが、ヨウ素の昇華性が高いため水槽へ添加した後の藻抑制剤としての持続性が十分ではなく、防藻効果を持続するためにはその添加頻度が多くなり使用者にとって非常に手間が掛かるという問題があった。【０００７】さらに、液状のヨウ素を添加した直後は一時的に水槽中のヨウ素濃度が高くなり、水草や他の水生生物に悪影響を及ぼすという問題があった。
本発明は上記のような問題を解決するための徐放性藻抑制剤を提供するものである。
【課題を解決するための手段】
【０００８】本発明の徐放性藻抑制剤は、ヨウ素とゲル状物質の混合物を、ヨウ素を徐放できる形状もしくはヨウ素を徐放できる材質の容器内に充填した状態で使用されることを特徴とする。【０００９】（ゲル状物質）
ゲル状物質としては、デンプン、アミロース、アミロペクチン、寒天、アガロース、アガロペクチン、カードラン、グルコマンナン、カラギーナン、ゼラチン、カルボキシメチルセルロース、ジェランガム、ヒドロキシプロピルセルロース、キサンタンガム等の、ミクロ的に観察すると巨大な網目構造をもつ高分子ゲルとその混合物が使用できる。さらに、アルギン酸ナトリウム等の多糖類をマグネシウム、カルシウム等の多価のイオンで架橋して得られたゲルも使用することができる。
【発明の効果】
【００１０】本発明により見出された徐放性藻抑制剤は、ヨウ素により濃い紫色に着色しており水中に設置した場合、内部のヨウ素が水中へ放出されるとともに次第に濃い紫色から薄い紫色へと外観が変化する。透明もしくは半透明の容器を使用した場合、ヨウ素の放出が終了し外観がゲル状物質の透明白色となることで藻抑制剤としての防藻効果の消失が目視で容易に判別できる。【００１１】また、本発明により見出された徐放性藻抑制剤は、水中でゲル内部のヨウ素を一定期間少量ずつ連続的に水中へ放出することで防藻効果を長期間維持できるため、藻抑制剤を頻繁に添加する手間を省くことができる。ヨウ素を放出する期間は、ゲルを充填する容器の内容積と開放部の面積を任意に設定しヨウ素の消費速度を変えることで容易にコントロールできる。【００１２】さらに、本発明により見出された徐放性藻抑制剤は、ゲル内部のヨウ素が少量ずつ連続的に水中へ放出されるため、一時的に水中のヨウ素濃度が高くなることはない。
【実施例】
【００１３】本発明を実施例により具体的に説明するが、本発明は以下の実施例に限定されるものではない。
【実施例１】
【００１４】ヨウ化カリウム２．４ｇ、ヨウ素１．６ｇ、粉末寒天５０ｇ、水１Ｌをガラスビーカー内で混合し、９０℃に加温したウォーターバスに浸漬して加熱溶解後、中空のアクリル製パイプ（内径１０ｍｍ、外形１２ｍｍ）内に流し込み、室温まで冷却したものを徐放性藻抑制剤とした。アクリルパイプの長さの差異によるヨウ素の放出期間の変化を観察すべく、その長さを５０ｍｍ，６０ｍｍ，７０ｍｍ，８０ｍｍとした４種類の徐放性藻抑制剤を作製し、１０Ｌの水道水中でヨウ素の徐放効果を目視で観察した。徐放性藻抑制剤はゲル状物質内部にヨウ素が存在すれば濃い紫色に見え、ヨウ素が放出されるとゲル状物質のみの白色に変化する。試験開始日より徐放性藻抑制剤が完全に白色になるまでの期間をヨウ素の放出期間とした。その結果を表１に示した。水道水１０Ｌ中（蓋無し）、常温、エアーバブリング有りの条件にて実施した。【００１５】
【表１】
2011236190.tif 000002
【００１６】以上の結果より、本発明で提供される徐放性藻抑制剤は色調による外観の変化で交換時期を判断することができ、容器の形状を設定することによってヨウ素の徐放期間を自在に調整できることが分かる。
【実施例２】
【００１７】ヨウ化カリウム２．４ｇ、ヨウ素１．６ｇ、粉末寒天５０ｇ、水１Ｌをガラスビーカー内で混合し、９０℃に加温したウォーターバスに浸漬して加熱溶解後、中空のアクリル製パイプ（内径１０ｍｍ、外形１２ｍｍ、長さ８０ｍｍ）内に流し込み、室温まで冷却したものを徐放性藻抑制剤とした。藻の抑制効果を確認するため、あらかじめ藻類を完全に除去した１０Ｌの淡水水槽中で金魚の飼育を行い水槽ガラス面への藻の発生状況を目視で観察した。その結果を表２に示した。【００１８】
【表２】
2011236190.tif 000003
【００１９】以上の結果より、本発明で提供される徐放性藻抑制剤は長期間高い藻抑制効果を有していることが分かる。
【産業上の利用可能性】
【００２０】本発明品は、殺菌剤として観賞魚用水槽等以外にも活魚用の生け簀や活魚搬送車への使用が可能であると考えられる。また、スケールアップすれば屋外の池やプール、その他藻の発生を抑制したい場所で使用することができると考えられる。